(57)【要約】【課題】  光キャビネットへの光ケーブルの導出入位置の変更や、光ケーブルの増設等に柔軟に対応することができる光キャビネットを得る。【解決手段】  標準のキャビネット筐体１１は、融着接続部３３や光モジュール収容部３５が取り付けられるベース板２１ａの４隅に連結用支柱２１ｂを立設したベース枠体２１と、このベース枠体２１の第１の側面２１ｃを覆う第１側壁板２３と、第１の側面２１ｃに対向するベース枠体２１の第２の側面２１ｄを覆う第２側壁板２５と、ベース枠体２１のベース板２１ａに対向する開放面と第３及び第４の側面とを覆う蓋枠体２７とを具備し、これらのベース枠体２１、第１側壁板２３、第２側壁板２５、蓋枠体２７が互いに着脱可能に連結されている。また、この標準のキャビネット筐体１１には、光ケーブルの増設等に応じて増設枠体（１３，１５）が任意に連結可能に構成される。【選択図】        図２
2008102443.tif 000002
【特許請求の範囲】
【請求項１】
キャビネット筐体内に、導入側光ケーブルの光ファイバ心線と導出側光ケーブルの光ファイバ心線との接続を行う接続部を備えた光キャビネットであって、
前記キャビネット筐体は、前記接続部が取り付けられる矩形の略平板状のベース板とこのベース板の４隅に立設された複数本の連結用支柱とを具備して周囲の４側面と前記ベース板に対向する面とが開放した箱型のベース枠体と、このベース枠体の第１の側面を覆う第１側壁板と、前記第１の側面に対向する前記ベース枠体の第２の側面を覆う第２側壁板と、前記ベース枠体の前記ベース板に対向する開放面を覆う蓋板の両側に、前記ベース枠体の第３の側面を覆う第３側壁板と第４の側面を覆う第４側壁板とを形成した蓋枠体とを具備し、これらのベース枠体、第１側壁板、第２側壁板、蓋枠体が互いに着脱可能に連結されていることを特徴とする光キャビネット。
【請求項２】
前記第１側壁板及び第２側壁板には、前記導入側光ケーブル又は前記導出側光ケーブルが通過可能な少なくとも２つのケーブル挿通口が形成されていることを特徴とする請求項１に記載の光キャビネット。
【請求項３】
前記接続部は、前記導入側光ケーブルの光ファイバ心線と片端光コネクタ付き光ファイバ心線の他端側とを融着接続する融着接続部と、前記片端光コネクタ付き光ファイバ心線の光コネクタと前記導出側光ケーブルの光ファイバ心線に取り付けられた光コネクタとを接続する光モジュールとを含み、
前記ベース板上には、前記ケーブル挿通口を通過した前記導出側光ケーブルの光ファイバ心線を前記光モジュールに誘導する光ファイバガイドが装備されると共に、
前記融着接続部及び前記光モジュール及び前記光ファイバガイドの取付位置や向きが、前記導入側光ケーブル及び導出側光ケーブルの導入位置及び導入方向に合わせて変更可能に、これらの融着接続部及び光モジュール及び光ファイバガイドの取付孔が複数通りに装備されていることを特徴とする請求項１又は２に記載の光キャビネット。
【請求項４】
前記側壁板に、増設枠体が連結されることを特徴とする請求項１から３のいずれか一項に記載の光キャビネット。
【発明の詳細な説明】
【技術分野】
【０００１】
本発明は、建屋内に設置されて、外部から建屋内に引き込まれる光ケーブルと建屋内に敷設されている光ケーブルとの接続や切り分け等に使用される光キャビネットに関する。
【背景技術】
【０００２】
これまで、マンションや商業ビルなどの建屋内に設置されて、外部から建屋内に引き込まれる光ケーブルと建屋内に敷設されている光ケーブルとの接続や切り分け等に使用される光キャビネットとして、キャビネット筐体内に、導入側光ケーブルの光ファイバ心線と片端光コネクタ付き光ファイバ心線の他端側とを接続する融着接続部と、前記片端光コネクタ付き光ファイバ心線の光コネクタと導出側光ケーブルの光ファイバ心線の光コネクタとをアダプタを介して接続可能にする光モジュールと、を備えた光キャビネットが各種提案されている（例えば、特許文献１参照）。
【０００３】
【特許文献１】特開２００１−１９４５３６号公報
【発明の開示】
【発明が解決しようとする課題】
【０００４】
ところが、このような光キャビネットを設計する際には、必要最小限に小型化することが、重要課題になっている。
【０００５】
更に、光キャビネットを既存の限られた設置スペースに設置する場合には、外部から建屋内の設置スペースに引き込まれる光ケーブルの導入方向、設置スペースから建屋内に敷設する光ケーブルの導出方向に応じて、光キャビネットへの光ケーブルの導出入位置を変更する柔軟な対応が要求されることもある。
【０００６】
しかし、小型化に対応し、且つ、上記要求を満たそうとすると、キャビネット筐体やモジュール筐体の種類の増加によって、製造コストが増大するだけでなく、在庫等の管理が難しくなるという問題が生じた。
また、従来では、光ケーブルの増設等で、キャビネット内に収容する接続系統数が、当初のキャビネットの収容能力を超える場合には、当初のキャビネット筐体と同様のものを更に隣接して追加設置するか、より収容能力の高いキャビネット筐体に交換するが、このような対応では、光ケーブルを追加接続する場合のスペース的及びコスト的な負担が大きくなるという問題があった。
【０００７】
本発明の目的は、キャビネット筐体の種類や部品を増加させずとも、光キャビネットへの光ケーブルの導出入位置の変更や、光ケーブルの追加接続等に柔軟に対応することができる光キャビネットを提供することである。
【課題を解決するための手段】
【０００８】
上記目的を達成するために、本発明に係る請求項１記載の光キャビネットは、キャビネット筐体内に、導入側光ケーブルの光ファイバ心線と導出側光ケーブルの光ファイバ心線との接続を行う接続部を備えた光キャビネットであって、
前記キャビネット筐体は、前記接続部が取り付けられる略平板状のベース板とこのベース板に立設された複数本の連結用支柱とを具備して周囲の側面と前記ベース板に対向する面とが開放したベース枠体と、このベース枠体の側面を覆う側壁板と、前記ベース板に対向する開放面を覆う蓋板を形成した蓋枠体とを具備し、これらのベース枠体、側壁板、蓋枠体が互いに着脱可能に連結されていることを特徴とする。
【０００９】
本発明に係る請求項２記載の光キャビネットは、請求項１に記載の光キャビネットにおいて、前記側壁板には、前記導入側光ケーブル又は前記導出側光ケーブルが通過可能な少なくとも２つのケーブル挿通口が形成されていることを特徴とする。
【００１０】
本発明に係る請求項３記載の光キャビネットは、請求項１又は２に記載の光キャビネットにおいて、前記接続部は、前記導入側光ケーブルの光ファイバ心線と片端光コネクタ付き光ファイバ心線の他端側とを融着接続する融着接続部と、前記片端光コネクタ付き光ファイバ心線の光コネクタと前記導出側光ケーブルの光ファイバ心線に取り付けられた光コネクタとを接続する光モジュールとを含み、
前記ベース板上には、前記ケーブル挿通口を通過した前記導出側光ケーブルの光ファイバ心線を前記光モジュールに誘導する光ファイバガイドが装備されると共に、
前記融着接続部及び前記光モジュール及び前記光ファイバガイドの取付位置や向きが、前記導入側光ケーブル及び導出側光ケーブルの導入位置及び導入方向に合わせて変更可能に、これらの融着接続部及び光モジュール及び光ファイバガイドの取付孔が複数通りに装備されていることを特徴とする。
【００１１】
本発明に係る請求項４記載の光キャビネットは、請求項１から３のいずれか一項に記載の光キャビネットにおいて、前記側壁板に、増設枠体が連結されることを特徴とする。
【発明の効果】
【００１２】
本発明の光キャビネットによれば、各部材を互いに着脱自在に連結して構成しているので、例えば、光ケーブルの導入口及び導出口を有した側壁板を光ケーブルの導出入位置に合わせてベース枠体に結合することで、キャビネット筐体の種類や部品を増加させずとも、光キャビネットへの光ケーブルの導出入位置の変更や、光ケーブルの追加接続等に柔軟に対応することができる。従って、予め用意するキャビネット筐体の種類の削減により、コストの軽減と、在庫等の管理を容易にすることができる。
また、光キャビネットのベース枠体は、接続部が取り付けられるベース板に対向する面と、その周囲の側面とが開放されている。そのため、ベース枠体に側壁板や蓋枠体を取り付ける前に、接続部を組み付けるようにすれば、組付け作業が行い易い。
【発明を実施するための最良の形態】
【００１３】
以下、本発明に係る光キャビネットの好適な実施の形態について、図面を参照して詳細に説明する。
図１は本発明に係る光キャビネットの第１の実施の形態の分解斜視図、図２は図１に示した光キャビネットを構成する標準光キャビネットの分解斜視図、図３は図２に示した標準光キャビネットのベース枠体上に融着接続部や光モジュール収容部を組み付けた平面図、図４は図３のＡ−Ａ矢視図、図５は図３に示した光モジュール収容部に使用されるテープ心線型光モジュールの平面図、図６は図３に示した光モジュール収容部に使用される単心型光モジュールの平面図、図７は光モジュール収容部における各光モジュールの取り付け構造を示す拡大斜視図、図８は図４のＢ−Ｂ矢視図である。
【００１４】
本実施の形態の光キャビネット１は、マンションや会社等の建屋内に設置されて、外部から建屋内に引き込まれる光ケーブル（導入側光ケーブル）３と建屋内に敷設されている光ケーブル（導出側光ケーブル）５との接続や分岐等に使用されるもので、図１に示すように、標準のキャビネット筐体１１と、このキャビネット筐体１１の一側面に連結可能な第１の増設枠体１３と、キャビネット筐体１１及び第１の増設枠体１３の一側面に連結可能な第２の増設枠体１５で構成されている。
【００１５】
標準のキャビネット筐体１１は、単独で、又は第１の増設枠体１３や第２の増設枠体１５が連結された形態で使用される。
キャビネット筐体１１は、金属板のプレス成形品で、図２に示すように、矩形の略平板状のベース板２１ａとこのベース板２１ａの４隅に立設された連結用支柱２１ｂとを具備して周囲の４側面とベース板２１ａに対向する面の周囲５面が開放した箱型のベース枠体２１と、このベース枠体２１の第１の側面２１ｃを覆う第１側壁板２３と、第１の側面２１ｃに対向するベース枠体２１の第２の側面２１ｄを覆う第２側壁板２５と、ベース枠体２１のベース板２１ａに対向する開放面とその両側を覆う蓋枠体２７とから構成されている。
【００１６】
蓋枠体２７は、ベース枠体２１のベース板２１ａに対向する開放面を覆う蓋板２７ａの両側に、ベース枠体２１の第３の側面２１ｅを覆う第３側壁板２７ｂと第４の側面２１ｆを覆う第４側壁板２７ｃとを一体形成したもので、横断面形状が略コ字状をなしている。
【００１７】
キャビネット筐体１１は、これらのベース枠体２１、第１側壁板２３、第２側壁板２５、蓋枠体２７をねじ等で連結することで、光ケーブル相互の接続部を内部に収容する函体になる。
キャビネット筐体１１の内部には、図３に示すように、導入側光ケーブル３の光ファイバ心線３ａと中継ケーブルとなる片端光コネクタ付き光ファイバ心線３１の他端側との融着接続を行う接続部となる融着接続部３３と、片端光コネクタ付き光ファイバ心線３１の光コネクタ３１ａと導出側光ケーブル５の光ファイバ心線５ａに取り付けられた光コネクタ５ｂとの接続を行う接続部となる光モジュール４３ａ〜４３ｆを収容する光モジュール収容部３５と、が組み付けられる。
なお、本実施の形態では、「接続部」は、融着接続部３３と光モジュール収容部３５とを含んだものと定義できるが、これらは任意に選択されるものであり、これらの他に、光コネクタアダプタやスプリッタ等の光部品を含むものとすることができる。
【００１８】
図２に戻って、対向配置される第１側壁板２３及び第２側壁板２５には、導入側光ケーブル３又は導出側光ケーブル５が通過可能な少なくとも２つのケーブル挿通口２３ａ，２３ｂ，２５ａ，２５ｂが形成されている。
これらの側壁２３，２５は、ベース枠体２１の連結用支柱２１ｂの上に重なる両側縁部２３ｃ，２３ｄ，２５ｃ，２５ｄを連結用支柱２１ｂにねじ止めすることで、ベース枠体２１に固定される。
【００１９】
第１の増設枠体１３や第２の増設枠体１５も、標準のキャビネット筐体１１と同様の筐体構造になっている。即ち、第１の増設枠体１３や第２の増設枠体１５も、ベース枠体５１，５２と、これらのベース枠体５１，５２の一側の開放側面を着脱可能に覆う第１側壁板５３，５４と、ベース枠体５１，５２の他側の開放側面を着脱可能に覆う第２側壁板５５，５６と、ベース枠体５１，５２のベース板５１ａ，５２ａに対向する開放面とその両側の対向側面を覆う蓋枠体５７，５８とを連結することで、収容空間を画成する函体になる。
【００２０】
また、増設枠体１３，１５においても、対向する第１側壁板５３，５４と、第２側壁板５５，５６には、標準のキャビネット筐体１１と同様に、導入側光ケーブル３又は導出側光ケーブル５が通過可能な少なくとも２つのケーブル挿通口５３ａ，５３ｂ，５４ａ，５４ｂ，５５ａ，５５ｂ，５６ａ，５６ｂが形成されている。
これらの増設枠体１３，１５は、ケーブル挿通口がキャビネット筐体１１のケーブル挿通孔に整合するように形成されて、キャビネット筐体１１の第１側壁板２３又は第２側壁板２５に着脱自可能に連結される。
これにより、キャビネット筐体１１から導出入する光ケーブルは、連結されている増設枠体１３，１５を挿通可能になる。
【００２１】
融着接続部３３には、図３及び図４に示すように、光ファイバ心線相互の融着接続を行うための融着接続部収納トレイ３９ａ，３９ｂ，３９ｃが、ベース板２１ａに直交する方向に複数個（図示例では、３個）積層配備されている。
各融着接続部収納トレイ３９ａ，３９ｂ，３９ｃは、導入側光ケーブル３の光ファイバ心線３ａと片端光コネクタ付き光ファイバ心線３１の他端側との融着接続部を収容する容器である。
【００２２】
本実施の形態の場合、積層配備された複数個の融着接続部収納トレイ３９ａ，３９ｂ，３９ｃは、図４に矢印(イ)で示すように、ベース枠体２１に取り付けられたヒンジ金具４１によって、それぞれ独立に回動可能に取り付けられている。ヒンジ金具４１による回動動作により、図４に示すように、複数個の融着接続部収納トレイ３９ａ，３９ｂ，３９ｃはベース枠体２１の外部に引き出すことができ、各トレイでの融着作業が容易になる。
【００２３】
光モジュール収容部３５には、図３に示すように、複数（図示例では、６個）の光モジュール４３ａ〜４３ｆが装備されている。ベース板２１ａには、光モジュール４３ａ〜４３ｆに導出側光ケーブル５の光ファイバ心線５ａを許容曲げ半径で誘導する複数個の光ファイバガイド４５が装備されている。
【００２４】
それぞれの光モジュール４３ａ〜４３ｆは、図５及び図６に示すように、偏平な箱形に形成されたモジュール筐体４７の一端に、片端光コネクタ付き光ファイバ心線３１の光コネクタ３１ａと導出側光ケーブル５の光ファイバ心線５ａに取り付けられた光コネクタ５ｂとをコネクタ接続する複数個のアダプタ４９を装備している。
各モジュール筐体４７において、複数個のアダプタ４９は、図５及び図６に示すように、端面位置をずらして、階段状に配置されている。
【００２５】
各モジュール筐体４７内に収容される、片端光コネクタ付き光ファイバ心線３１としては、図５及び図６に示す２通りの線種が使われる。
図５に示した片端光コネクタ付き光ファイバ心線３１は、テープ状光ファイバ心線３１Ａで、そのテープ状光ファイバ心線３１Ａを分岐した光ファイバ心線３１Ａｂにコネクタ３１ａが取り付けられている。一方、図６に示した片端光コネクタ付き光ファイバ心線３１は、複数本の単心の光ファイバ心線３１Ｂで、各単心の光ファイバ心線３１Ｂｂの端部にコネクタ３１ａが取り付けられている。したがって、図５に示した光モジュール４３ａ〜４３ｆは、「テープ心線型光モジュール」と定義することができ、図６に示した光モジュール４３ａ〜４３ｆは、「単心線型光モジュール」とすることができる。
【００２６】
本実施形態の場合、各光モジュール４３ａ〜４３ｆは、共通形状のモジュール筐体４７を用いたものである。
各モジュール筐体４７は、その内部に、テープ状光ファイバ心線３１Ａの光ファイバ心線３１Ａｂを巻き付けできる円筒状の余長収容ガイド部６１が形成されている。この余長収容ガイド部６１は、テープ状光ファイバ心線３１Ａの各光ファイバ心線３１Ａｂがコネクタ付けされた時に生じる余長差を吸収するため、筐体４７内において光ファイバ心線３１Ａｂを巻き付けて収容する。一方、この余長収容ガイド部６１には、図６に示すように、単心の光ファイバ心線３１Ｂｂを横断可能にする位置に２箇所の切り欠き６１ａ，６１ｂが形成されている。つまり、単心の光ファイバ心線３１Ｂはコネクタ付けした時に生じる余長差が各光ファイバ心線３１Ｂｂ毎に吸収できるため、円筒状の余長収容ガイド部６１を不要にする。そのため、これらの切り欠き６１ａ，６１ｂは筐体４７内で各光ファイバ心線３１Ｂｂを直線状に収容可能にする。  そして、このような切り欠き６１ａ，６１ｂを装備したことで、モジュール筐体４７は、テープ状光ファイバ心線３１Ａの光ファイバ心線３１Ａｂと、単心の光ファイバ心線３１Ｂの各光ファイバ心線Ｂｂとのいずれを収容することも可能になっている。
【００２７】
即ち、各光モジュール４３ａ〜４３ｆは、図５に示すようにモジュール筐体４７内にテープ状光ファイバ心線３１Ａを収容したときには既述したようにテープ心線型光モジュールとして機能し、また、図６に示すようにモジュール筐体４７内に単心の光ファイバ心線３１Ｂを収容した時には既述したように単心線型光モジュールとして機能する。
【００２８】
本実施形態の場合、光モジュール収容部３５を構成している複数の光モジュール４３ａ〜４３ｆは、図３及び図４に示すように、キャビネット筐体１１のベース板２１ａの延在方向（図４の矢印(ロ)方向）に沿って積層配置されている。積層した複数個の光モジュール４３ａ〜４３ｆは、図７に示すように、モジュール筐体４７の後端面に装備された矩形断面の凹部４８を、矩形断面の支持軸６３に係合させることで、図８に矢印(ハ)で示すように、支持軸６３を支点に回動可能になっている。
【００２９】
支持軸６３は、図７及び図８に示すように、ベース枠体２１に固定された一対のブラケット６５によってベース板２１ａに平行に支持されている。支持軸６３の両端は、図７に示すように、例えば止め輪６７により、回転自在にブラケット６５に支持されている。
これにより、光モジュール収容部３５を構成している複数の光モジュール４３ａ〜４３ｆは、図８に示すように、ベース板２１ａに直交する方向（矢印(ハ)方向）に回動自在に支持されている。
【００３０】
以上のように、融着接続部３３や、光モジュール収容部３５や光ファイバガイド４５が取り付けられるベース板２１ａには、これらの各部品３３，３５，４５の取付位置や向きが、導入側光ケーブル３及び導出側光ケーブル５のキャビネット筐体１１への導入位置及び導入方向に合わせて変更できるように、これらの各部品３３，３５，４５の取付孔が数通りに装備されている。
【００３１】
本実施形態の場合、図１に示したように、キャビネット筐体１１に連結される第１の増設枠体１３は、キャビネット筐体１１に装備したのと同様の光モジュール収容部３５が、ベース枠体５１に取り付けられている。
従って、光ケーブルの増設等で、キャビネット筐体１１内では接続仕切れない場合、あるいは、作業する通信事業者が異なるために責任分界点を作るために、追加分は、第１の増設枠体１３内の光モジュール収容部３５に収容させるようにしても良い。
【００３２】
また、キャビネット筐体１１に連結される第２の増設枠体１５は、内部に光モジュール収容部３５等を有しておらず、キャビネット筐体１１に導出入する光ケーブルの余長収容部、あるいは保護部等として利用される。
【００３３】
以上に説明した光キャビネット１において、図３に示したケーブル接続の第１実施例では、導入側光ケーブル３は、第２側壁板２５の一端側のケーブル挿通口２５ａからキャビネット筐体１１内に導入され、また、導出側光ケーブル５は第２側壁板２５の他端側のケーブル挿通口２５ｂからキャビネット筐体１１の外へ導出している。そのため、図示のように、導入側光ケーブル３が融着接続されるベース板２１ａ上の第２側壁板２５寄りの位置に、融着接続部３３が配置され、第１側壁板２３寄りの位置に光モジュール収容部３５が配置されている。
【００３４】
しかし、上記実施形態の光キャビネット１では、図９〜図１２に示すように、光ケーブルの導出入口の位置を変更することが容易にできる。
【００３５】
図９は、キャビネット筐体１１内におけるケーブル接続の第２実施例を示したものである。
この実施例では、図３の場合と比較して、導出側光ケーブル５の導出口を、第１側壁板２３のケーブル挿通口２３ｂに変更している。それに伴い、ベース板２１ａ上での光ファイバガイド４５の取付位置を変更している。
【００３６】
図１０は、キャビネット筐体１１内におけるケーブル接続の第３実施例を示したものである。
この実施例では、キャビネット筐体１１の向きを、第２側壁板２５側が上になるように設置し、さらに、第２側壁板２５の一方のケーブル挿通口２５ａを導出側光ケーブル５の導出口に設定し、第２側壁板２５の他方のケーブル挿通口２５ｂを導入側光ケーブル３の導入口に設定したものである。
この実施例では、図３の場合と比較して、導入側光ケーブル３及び導出側光ケーブル５の導出入口が左右入れ替わり、また、融着接続部３３、光モジュール収容部３５，光ファイバガイド４５の取付位置、取り付け向きも、導出口の位置変更に応じて、最適位置に変更している。
【００３７】
図１１は、キャビネット筐体１１内におけるケーブル接続の第４実施例を示したものである。
この実施例は図１０の実施例から、導出側光ケーブル５の導出口を第１側壁板２３のケーブル挿通口２３ａに変更したもので、それに伴い、光ファイバガイド４５の取付位置も変更している。
【００３８】
図１２は、本発明に係る光キャビネットの第２の実施の形態を示したものである。
本実施の形態では、第１の実施の形態で示したキャビネット筐体１１の第１側壁板２３に第１の増設枠体１３を連結して、第１の実施の形態におけるキャビネット筐体１１内の接続に、第１の増設枠体１３内における光モジュール収容部３５による追加接続を実施したものである。
導入側光ケーブル３及び導出側光ケーブル５の導出入口は、第１実施の形態の場合と同様で、キャビネット筐体１１の第２側壁板２５の一対のケーブル挿通口２５ａ，２５ｂを使用している。
【００３９】
図１３は、本発明に係る光キャビネットの第３の実施の形態を示したものである。
本実施の形態では、第１の実施の形態で示したキャビネット筐体１１の第１側壁板２３に第２の増設枠体１５を連結して、第１の実施の形態におけるキャビネット筐体１１内の接続の一部を、第２の増設枠体１５の第２側壁板５４の一方のケーブル挿通口５４ｂから上方に引き出される導出側光ケーブル７５として処理すると共に、第２の増設枠体１５の第２側壁板５４の他方のケーブル挿通口５４ａから導入される導入側光ケーブル７３をキャビネット筐体１１内の融着接続部３３で融着接続可能にしたものである。なお、この第２の増設枠体１５は、導入側光ケーブル７３あるいは導出側光ケーブル７５のキャビネット筐体１１に対する導出入方向の変更のために利用されるだけでなく、これらの光ケーブルの余長収容部としても使用することができる。
【００４０】
上記光キャビネット１によれば、キャビネット筐体１１のベース枠体２１は、融着接続部３３や光モジュール収容部３５が取り付けられるベース板２１ａに対向する面と、その周囲の４側面とが開放されている。そのため、ベース枠体２１に第１側壁板２３や第２側壁板２５や蓋枠体２７を取り付ける前に、融着接続部３３や光モジュール収容部３５をベース枠体２１に組み付けるようにすれば、組付け作業が行い易い。
【００４１】
また、上記光キャビネット１によれば、光ケーブルの導入口及び導出口のそれぞれを、第１側壁板２３及び第２側壁板２５のいずれにでも設定できるため、キャビネット筐体１１の種類や部品を増加させずとも、光キャビネット１への光ケーブルの導出入位置の変更や、光ケーブルの追加接続等に柔軟に対応することができる。従って、予め用意するキャビネット筐体１１の種類の削減により、コストの軽減と、在庫等の管理を容易にすることができる。
【００４２】
また、上記光キャビネット１によれば、融着接続部３３を構成する複数の融着接続部収納トレイ３９ａ，３９ｂ，３９ｃは、積層配備されるため、高密度に収容でき、それにより、キャビネット筐体１１の小型化を図ることができる。
【００４３】
また、ベース板２１ａ上には、該ベース板２１ａに取り付ける部品の取付穴が数通りに形成されていて、キャビネット筐体１１に対する光ケーブルの導出入位置を変更する際には、ベース板２１ａ上の使用する取付穴を変更するだけで、変更した光ケーブルの導出入位置に適した部品取り付けを実現できる。
従って、光ケーブルの導出入位置の変更に対して、ベース枠体２１の交換が必要とならず、キャビネット筐体１１の種類の削減により、コストの軽減と、在庫等の管理を容易にすることができる。
【００４４】
また、上記の光キャビネット１によれば、光ケーブルの増設等で、キャビネット内に収容するコネクタ接続数が、当初のキャビネットの収容能力を超える場合には、超えた分のコネクタ接続部は、図１２に示すように、当初のキャビネット筐体１１に連結される第１の増設枠体１３に収容すればよく、簡単に追加接続に対応することができる。
また、増設枠体は、標準のキャビネット筐体１１よりも小さくて済むから、追加接続による設置スペースの増大を最小限に抑えて、設置性を高めることができる。
【００４５】
更に、第１の増設枠体１３や第２の増設枠体１５は、標準のキャビネット筐体１１への連結で、キャビネット筐体１１に固定できるため、増設枠体の追加のために、建屋の設置スペースに取付け孔等を追加加工する必要がなく、光ケーブルの追加接続時の作業を簡便にできる。
【図面の簡単な説明】
【００４６】
【図１】本発明に係る光キャビネットの第１の実施の形態の分解斜視図である。
【図２】図１に示した標準光キャビネットのキャビネット筐体の分解斜視図である。
【図３】融着接続部や光モジュール収容部を組み付けたキャビネット筐体の第１の実施例の平面図である。
【図４】図３のＡ−Ａ矢視図である。
【図５】図３に示した光モジュールに、テープ状光ファイバ心線による片端光コネクタ付き光ファイバ心線を収容した状態の説明図である。
【図６】図３に示した光モジュールに、単心の光ファイバ心線による片端光コネクタ付き光ファイバ心線を収容した状態の説明図である。
【図７】図３に示した光モジュールの取り付け構造を示す拡大斜視図である。
【図８】図４のＢ−Ｂ矢視図である。
【図９】導出側光ケーブルの導出方向を変更した第２の実施例の説明図である。
【図１０】導入側光ケーブルの導入方向と、導出側光ケーブルの導出方向との双方を変更した第３の実施例の説明図である。
【図１１】導入側光ケーブルの導入方向と、導出側光ケーブルの導出方向との双方を変更した第４の実施例の説明図である。
【図１２】第２の実施の形態の要部説明図で、図３に示したキャビネット筐体に第１の増設枠体を連結した形態を示す平面図である。
【図１３】第３の実施の形態の要部説明図で、図３に示したキャビネット筐体に第２の増設枠体を連結した形態を示す平面図である。
【符号の説明】
【００４７】
１  光キャビネット
３  導入側光ケーブル
３ａ  光ファイバ心線
５  導出側光ケーブル
５ａ  光ファイバ心線
５ｂ  光コネクタ
１１  キャビネット筐体
１３  第１の増設枠体
１５  第２の増設枠体
２１  ベース枠体
２１ａ  ベース板
２３  第１側壁板
２５  第２側壁板
２７  蓋枠体
３１，３１Ａ，３１Ｂ  片端光コネクタ付き光ファイバ心線
３３  融着接続部（接続部）
３５  光モジュール収容部
３９ａ，３９ｂ，３９ｃ  融着接続部収納トレイ
４１  ヒンジ金具
４３ａ〜４３ｆ  光モジュール（接続部）
４５  光ファイバガイド
４７  モジュール筐体
４８  凹部
４９  アダプタ
５１  ベース枠体
６３  支持軸
６１  余長収容ガイド部
６１ａ，６１ｂ  切り欠き
６５  ブラケット
６７  止め輪
【図１】
2008102443.tif 000003
【図２】
2008102443.tif 000004
【図３】
2008102443.tif 000005
【図４】
2008102443.tif 000006
【図５】
2008102443.tif 000007
【図６】
2008102443.tif 000008
【図７】
2008102443.tif 000009
【図８】
2008102443.tif 000010
【図９】
2008102443.tif 000011
【図１０】
2008102443.tif 000012
【図１１】
2008102443.tif 000013
【図１２】
2008102443.tif 000014
【図１３】
2008102443.tif 000015